(57)【特許請求の範囲】
【請求項１】
方立と、左右の方立間に取付けられる無目と、方立と無目とによって形成される開口枠に装着されるパネルと、方立に取付けられて方立とともにパネルパネル間口を形成する竪補助材とを備え、
方立の見付け面には、長手方向に沿って気密材が配置されると共に気密材よりも外周側には竪補助材を係止する係止部を有しており、
竪補助材は、方立の係止部に係止する係止片を有する竪補助材本体部と、竪補助材本体部と方立の見込み面との間に配置可能な挿入部材とからなり、竪補助材の係止片を方立の係止部に係止させて他端側を気密材に向けて回動させた状態で挿入部材を方立の見込み面と竪補助材との間に配置することにより、竪補助材の他端側で方立の気密材を押圧しながら取付ける
ことを特徴とするカーテンウォール。
【発明の詳細な説明】
【技術分野】
【０００１】
本発明は、方立と無目とにより形成した開口枠にガラス等のパネルを装着して構成され、建築物の外壁面に取付けられるカーテンウォールに関する。
【背景技術】
【０００２】
縦枠（方立兼用）のパネル面より室内側にパネルを支持する追加アタッチメントを取り付けてなるカーテンウォールにおいて、縦枠の室内側面に気密材を配置し、追加アタッチメントの室内側部分を縦枠の取付用受け係止部に係止させた後に、この係止部を回転中心として追加アタッチメントを縦枠側に回転させて気密材を圧縮しながら取付けを行うカーテンウォールが知られていた（特許文献１）。
【先行技術文献】
【特許文献】
【０００３】
【特許文献１】特許第３４７４１２８号公報
【発明の概要】
【発明が解決しようとする課題】
【０００４】
しかしながら、上記特許文献１のカーテンウォールにおいては、追加アタッチメントを取付けるには、追加アタッチメントを縦枠の係止部に係止した後、係止部を軸として係止部の外周側にある気密材に押しつけるように回動させて、気密材を圧縮しながら取付けを行うものであるため、追加アタッチメントで気密材を圧縮した状態を維持するには、ビス等により縦枠に固定する必要があった。そのため、追加アタッチメントの固定作業に手間がかかるとともに、固定後にも気密材の弾性によりビスには常に負荷がかかっているために経年によりがたつきや外れが生じる可能性があった。
【０００５】
本発明は、上記事情を鑑みたものであり、カーテンウォールの縦枠に対する追加アタッチメントの固定作業を簡単にするとともに、固定後においては、追加アタッチメントを安定した状態で縦枠に維持することができるカーテンウォールを提供することを目的とするものである。
【課題を解決するための手段】
【０００６】
本発明は、方立と、左右の方立間に取付けられる無目と、方立と無目とによって形成される開口枠に装着されるパネルと、方立に取付けられて方立とともにパネル間口を形成する竪補助材とを備え、方立の見付け面には、長手方向に沿って気密材が配置されると共に気密材よりも外周側には竪補助材を係止する係止部を有しており、竪補助材は、方立の係止部に係止する係止片を有する竪補助材本体部と、竪補助材本体部と方立の見込み面との間に配置可能な挿入部材とからなり、竪補助材の係止片を方立の係止部に係止させて他端側を気密材に向けて回動させた状態で挿入部材を方立の見込み面と竪補助材との間に配置することにより、竪補助材の他端側で方立の気密材を押圧しながら取付けることを特徴とする。
【発明の効果】
【０００７】
追加アタッチメントである竪補助材をネジ等を用いずに方立に対して気密材を圧縮した状態で取り付けることができるので取付作業が簡単になり、取り付け後には、圧縮した気密材の反力をネジ等の小さい部材で受けることなく、竪補助材の破損や外れが防止できる。
【図面の簡単な説明】
【０００８】
【図１】本発明の実施形態に係るカーテンウォールの一部外観図である。
【図２】本発明の実施形態に係るカーテンウォールの方立と無目との連結部分を室外側上方より見た斜視図である。（なお、説明のため、室外側から見て右側のカバー部材を省いている。）
【図３】本発明の実施形態に係るカーテンウォールの方立に対して無目を支持する前の状態を示す斜視図である。
【図４】本発明の実施形態に係るカーテンウォールの方立に無目を支持させた状態を示す斜視図である。
【図５】本発明の実施形態に係るカーテンウォールの方立と無目との連結部分の側面図である。
【図６】本発明の実施形態に係るカーテンウォールの方立と無目との連結部分を室内側下方より見た斜視図である。
【図７】本発明の実施形態に係るカーテンウォールを説明する図であり、（ａ）は、方立に対して竪補助材を取付けた状態を示す斜視図、（ｂ）は、竪補助材の斜視図である。
【図８】本発明の実施形態に係るカーテンウォールの方立部分の横断面図であり、（ａ）は、方立に対して竪補助材を挿入した状態、（ｂ）は、方立に対して竪補助材を取付けた状態を示す横断面図である。
【図９】本発明の実施形態に係るカーテンウォールの竪補助材を説明する図であり、（ａ）は、竪補助材の横断面図、（ｂ）及び（ｃ）は、竪補助材の挿入部材の斜視図である。
【図１０】本発明の実施形態に係るカーテンウォールにおいて、方立に竪補助材を取付ける手順を説明する図であり、（ａ）は、竪補助材の係止片を方立の係止部に係止する状態の斜視図、（ｂ）は、同平面図である。
【図１１】本発明の実施形態に係るカーテンウォールにおいて、方立に竪補助材を取付ける手順を説明する図であり、（ａ）は、竪補助材を方立の係止部に係止した状態で気密材に向けて回動した状態の斜視図、（ｂ）は、同平面図である。
【図１２】本発明の実施形態に係るカーテンウォールにおいて、方立に竪補助材を取付ける手順を説明する図であり、（ａ）は、挿入部材を方立の見込み面と竪補助材との間に配置した状態の斜視図、（ｂ）は、同平面図である。
【図１３】本発明の第２の実施形態に係るカーテンウォールの方立部分の横断面図であり、（ａ）は、方立に対して竪補助材を挿入した状態、（ｂ）は、方立に対して竪補助材を取付けた状態を示す横断面図である。
【発明を実施するための形態】
【０００９】
−第１の実施形態−
（カーテンウォールの構成）
図面を参照しながら、本発明の第１の実施形態に係るカーテンウォールを説明する。本発明の実施形態のカーテンウォールは、図１に示されるように、方立１間に無目２を配設して構成される開口枠Ｗにガラス等のパネルｐを装着して構成されている。
図２に示すように、方立１はその左右に凹部Ａを備え、該凹部Ａに無目２の端部が挿入されて取付けられると共に、その室外側には、カバー部材７及び押縁部材８が取り付けられることにより、無目２の上下にパネルｐを装着するためのパネル間口Ｍが形成される。
さらに、方立１の凹部Ａの無目２が取付けられていない適宜箇所の室内側には、凹部Ａに沿って竪補助材３が取付けられ、竪補助材３の室外側面と室外壁１３とにより、パネルｐを装着するための竪パネル間口が形成される。
【００１０】
図２乃至４に示すように、方立１は、上下方向に延びる中空の方立本体部１１と、方立本体部１１の室外側面略中央より室外側に延設する方立突出片１２と、方立突出片１２の室外側端に連続しカーテンウォールの縦枠外面となる室外壁１３とにより構成されており、方立突出片１２の左右両側には、方立本体部１１の室外側面と室外壁１３とにより、無目２を挿入して固定する凹部Ａが形成されている。
【００１１】
図３乃至５に示すように、前記凹部Ａの室内側には無目２を支持する自重受け６が取付けられているとともに、前記凹部Ａの室外側には無目２が室外側に転倒することを防止する転び止め部品５が取付けられている。自重受け６は、取付部６２と、取付部６２の上端を屈曲させて形成される支持部６１とにより、略Ｌ字状の部品として形成されている。そして、方立突出片１２に対して取付部６２をボルト等により取り付けることで、支持部６１を上にして自重受け６が方立突出片１２に固定されている。
【００１２】
無目２は、左右方向に延びる中空部を備える無目本体部２１と、無目本体部２１の高さ方向略中央より室外側に延設する無目突出片２２とにより構成されている。無目突出片２２の上面には、後述するカバー部材７の係合部７４が係止される係合溝２２ａが形成され、無目突出片２２の下面には、同じく無目２下方のガラス間口を構成する押縁部材８の係止爪８２ａ，８２ｂが係止される係止受爪２２ｂ，２２ｃが形成されている。
【００１３】
そして、図４に示すように、無目２の両側端部を方立１の前記凹部Ａに挿入して、無目本体部２１の下面を自重受け６の上面に載置して支持するとともに、無目突出片２２の下面を方立１の室外側に取り付けられた転び止め部品５の上面に載置することで、方立１に対して無目２を安定して支持することができ、無目２の上面にパネルｐが載置された時などに、無目２が室外側へ転倒することを防止している。
方立１の凹部Ａに挿入して支持された無目２の端部と方立１の見込み面との間には、コーキング材等のシール材が充填されている。
【００１４】
無目２の無目突出片２２の室外側には、方立１の室外壁１３と共にカーテンウォールの外面を構成するカバー部材７が取付けられ、カバー部材７の室内側であり無目２の下面には、押縁部材８が取付けられている。
カバー部材７は、カーテンウォールの横枠外面を構成する外壁部７１と、無目の上方のパネル間口Ｍを構成する内壁部７２と、外壁部７１と内壁部７２との上端を連結する連結部７３と、内壁部７２の室内側に設けられる係合部７４とを備えており、無目突出片２２の上面に形成された係合溝２２ａに係合部７４を係合して無目２に対して取付けられている。
カバー部材７の内壁部７２の適宜位置には、外気を導入する外気導入口７２ａが形成されており、パネル間口Ｍ空間及び凹部Ａを外気導入口７２ａと連通させることにより室外空間と等圧構造とし、両空間の圧力差による水の浸入を防止している。
【００１５】
押縁部材８は、無目２下方のパネル間口Ｍを構成する押縁部８１と、押縁部８１の室内側に設けられ、２つの係止爪８２ａ，８２ｂを有する上壁部８２とを備えており、無目突出片２２の下面に形成された係止受爪２２ｂ，２２ｃに係止爪８２ａ，８２ｂを係止して無目２に対して取付けられている。
図６に示すように、押縁部材８の上壁部８２の端部にはスリット８２ｃが形成され、スリット８２ｃには緩衝部材９が配置されており、地震等によって枠体が変形したときにガラスの隅部が接触して破損することを防止している。
【００１６】
（竪補助材の構成）
【００１７】
以下、図７乃至１３を参照して、竪補助材３についてさらに説明する。方立本体部１１の室外側面、すなわち凹部Ａの室内側の見付け面には、長手方向に沿って気密材Ｓが配置されており、気密材Ｓよりも外周側に竪補助材３の係止片３１ａを係止するための係止部１５が形成されている。係止部１５は、方立突出片１２の室内側端近傍に内周に突出する突片１２ａを設けることにより構成されている。
【００１８】
竪補助材３は、断面矩形の中空部を有する長尺の竪補助材本体部３１と、方立１に対して竪補助材３を取付けた際に方立の見込み面と竪補助材との間に配置される複数の挿入部材３２とからなり、各挿入部材３２は竪補助材本体部３１の外周側見込み面に回動自在に取付けられている。竪補助材本体部３１の室内側の壁には外周側に延びるように係止片３１ａが延設されており、係止片３１ａの外周側端部から竪補助材本体部３１の内周側面までの見付け寸法は方立１の凹部Ａの見付け方向寸法（深さ）と略同程度の見付け寸法を有している。
【００１９】
竪補助材３の挿入部材３２は、弾性を有する材料から形成されており、図４に見られるように、竪補助材本体部３１に固着する固着部３２１と、固着部３２１より延設する平板状の腕部３２２と腕部３２２の先端に連続する挿入部３２３とにより構成されている。そして、竪補助材３の係止片３１ａの室外側位置において固着部３２１をボルト等により固着することにより、挿入部３２３が竪補助材本体部３１に対して見込み方向（側方）に突出する位置と、方立１の凹部Ａの見込み面と竪補助材本体部３１の外周面との間に挿入される位置とが選択できるように回転自在に取付けられている。
【００２０】
挿入部材３２の挿入部３２３は、平板状の腕部３２２の一面側から突出するようにブロック状に形成されており、腕部３２２の回動によって方立１の凹部Ａの見込み面と竪補助材本体部３１の外周面との間に先に挿入される側が見付け方向に薄く、後に行くに従って厚くなるようなくさび部３２３ａを有している。挿入部３２３の他面側には、方立１の凹部Ａの見込み面と竪補助材本体部３１の外周面との間に挿入された時に、竪補助材本体部３１の室外側壁の外周面に当接する突条壁３２３ｂが形成されている。
従って、挿入部材３２を方立１の凹部Ａの見込み面と竪補助材本体部３１の外周面との間に挿入する際には、くさび部３２３ａによりスムーズな挿入が可能になり、また、突条壁３２３ｂにより挿入部材３２の過度な挿入が防止され、竪補助材３の取付けが簡単にできる。
なお、挿入部３２３は、軽量化、又、材料の節約の観点から、肉抜き３２３ｃがされている。
【００２１】
（竪補助材の取付け構造）
方立１に対して、本実施形態の竪補助材３を取付け方法について、図５乃至７を参照しながら説明する。
方立１に対して竪補助材３を取り付けるには、図５に示すように、挿入部材３２を竪補助材３の竪補助材本体部３１から見込み方向（側方）に突出するように回動させた状態で、竪補助材３の係止片３１ａが凹部Ａに形成された係止部１５に係止されるように竪補助材３を傾けた状態で矢印ａに示すように凹部Ａ内に挿入する。
【００２２】
挿入部材３２は弾性を有するので、竪補助材３を凹部Ａに傾けた状態で挿入させる際に挿入部材３２が方立１の方立突出片１２等に接触しても、腕部３２２が湾曲して挿入部３２３を逃がすことができる。従って、挿入部材３２が竪補助材本体部３１の側方から突出した状態であっても、係止片３１ａを凹部Ａの係止部１５に係止させることができる。
【００２３】
次に、図６に示すように、竪補助材３の係止片３１ａを凹部Ａの係止部１５に係止させた状態で、係止部１５を中心軸として、竪補助材３の他端側を方立１の方立本体部１１の室外側面（方立１の見付け面）に近接させるように矢印ｂのように回動する。方立本体部１１の室外側面（方立１の見付け面）の係止部１５よりも内周側には、長手方向に沿って気密材Ｓが設けられているので、竪補助材３の回動により、竪補助材３の室内側面により気密材Ｓが押圧されて、方立１と竪補助材３とが気密された状態となる。
【００２４】
そして、図７に示すように、竪補助材３の室内側面により気密材Ｓが押圧された状態で、竪補助材本体部３１から見込み方向（側方）に突出していた各挿入部材３２を矢印ｃに示す方向に回動することにより、方立１の凹部Ａの見込み面と竪補助材３との間に複数個の挿入部材３２が挿入されて、竪補助材３の室内側面による気密材Ｓの押圧状態が維持される。このとき、竪補助材３の突条壁３２３ｂが竪補助材本体部３１の室外側に当接して、竪補助材３の過度な回動を阻止するので、竪補助材３を回動しすぎて取付け損なうことが防止できる。
また、方立１の見込み面と竪補助材３との間には複数の挿入部材が挿入されて密着することがないので、方立１の見込み面と竪補助材３との間の空間は、パネル間口Ｍ及び外気導入口７２ａを介して室外空間と等圧状態にすることができる。
【００２５】
−第２の実施形態−
図８を参照しながら、本発明の第２の実施形態係るカーテンウォールについて説明する。
第２の実施形態においては、方立の見込み面と竪補助材との間に配置する挿入部材の構成が、第１の実施形態と異なっている。以下、第２の実施形態について具体的に説明する。
【００２６】
第２の実施形態における竪補助材３は、方立１の凹部Ａ内に配置された時に、凹部Ａの室内側に当接する室内側壁３５と、室内側壁３５の内周端より室外側に延設し、方立１の方立本体部１１の内周面と面一に位置する内周壁３６と、内周壁３６の室外側端より外周側に延設する室外側壁３７とから形成されている。
室内側壁３５の見付け方向の幅寸法は室外側壁３７の見付け方向の幅寸法よりも大きく形成され、室内側壁３５の外周端には、方立１の凹部Ａに形成された係止部１５に係止される係止片３５ａが形成されている。
【００２７】
一方、室外側壁３７の室内側面には、挿入部材を取付けるための取付片３７ａが延設されており、取付片３７ａの適宜位置には取付ピン３９等を介して引張りバネからなる挿入部材３８がバネ先端を外周方向に向けて設けられている。
【００２８】
以上の第２の実施形態の竪補助材３を方立１に取付けるには、第１の実施形態と同様に、竪補助材３の係止片３５ａを方立１の係止部１５に係止するように竪補助材３を近づける。この際、引張りバネ（挿入部材）８は、方立１の方立突出片１２等に当接して適宜位置で屈曲されるので係止片３５ａを凹部Ａの係止部１５に係止させることができる。
そして、竪補助材３の係止片３５ａを凹部Ａの係止部１５に係止させた状態で、係止部１５を中心軸として、竪補助材３の他端側を方立１の方立本体部１１の室外側面（方立１の見付け面）に近接させるように回動することにより、方立本体部１１の室外側面（方立１の見付け面）の係止部１５よりも内周側に設けられた気密材Ｓを竪補助材３の室内側面により押圧する。竪補助材３の回動に伴って、方立突出片１２等への当接から解放された引張りバネ（挿入部材）８は、バネの復元力により通常の起立状態に復帰して、方立１の凹部Ａと竪補助材３の室外側との間に配置され、竪補助材３の室内側面による気密材Ｓの押圧状態を維持することができる。
【００２９】
−実施形態による作用効果−
以上のように、竪補助材の係止片を方立の係止部に係止した状態で、方立の見込み面と竪補助材との間に挿入部材を挿入することにより竪補助材を気密材に押圧し、押圧された気密材の反発力を使用して竪補助材を方立内に取り付けているので、竪補助材の取付けにネジ等を使用する必要が無く、取付作業が簡単にできる。また、方立の見込み面にネジ穴等を設けることなく比較的平坦な面に形成することができるので、無目の端部と方立の見込み面との間のコーキング作業が行いやすく、確実にシールすることができる。
さらに、取付状態においては、パネル間口を構成する竪補助材と方立との間の気密材を確実に潰して気密することができ、室内空間との気密性の安定が図れるとともに、方立の見込み面と竪補助材との間の複数箇所に挿入部材が配置されることにより、方立の見込み面と竪補助材との間の空間を室外空間と等圧構造にすることができて、圧力差による水の浸入を防止することができる。
【００３０】
なお、以上の実施形態においては、方立１の凹部Ａの室内側に竪補助材を取り付けているが、竪補助材を取付ける位置は、方立１の凹部Ａの室内側に限られるものではない。また、方立１はそれ自体には室外壁１３を備えず、凹部Ａを形成しないものであってもよい。
【符号の説明】
【００３１】
１              方立
１１          方立本体部
１２          方立突出片
１２ａ      突片
１３          室外壁
１５          係止部
２              無目
３              竪補助材
３１          竪補助材本体部
３１ａ      係止片
３２          挿入部材
３２１      固着部
３２２      腕部
３２３      挿入部
３２３ａ  くさび部
３２３ｂ  突条壁
３２３ｃ  肉抜き
３５          室内側壁
３５ａ      係止片
３６          内周壁
３７          室外側壁
５              止め部品
６              自重受け
７              カバー部材
７１          外壁部
７２          内壁部
７２ａ      外気導入口
７３          連結部
７４          係合部
８              押縁部材
８１          押縁部
８２          上壁部
８２ａ      係止爪
８２ｂ      係止爪
８２ｃ      スリット
９              緩衝部材
Ａ              凹部
Ｓ              気密材
Ｍ              ガラス間口
【図１】
0006276155.tif 000002
【図２】
0006276155.tif 000003
【図３】
0006276155.tif 000004
【図４】
0006276155.tif 000005
【図５】
0006276155.tif 000006
【図６】
0006276155.tif 000007
【図７】
0006276155.tif 000008
【図８】
0006276155.tif 000009
【図９】
0006276155.tif 000010
【図１０】
0006276155.tif 000011
【図１１】
0006276155.tif 000012
【図１２】
0006276155.tif 000013
【図１３】
0006276155.tif 000014